(57)【要約】【課題】  本発明はケーブルコネクタに関し、接続した場合に電子機器からの出っ張りが小さくなるようにすることを目的とする。【解決手段】  コンタクト・配線基板モジュール３１及びラッチ爪部材３５Ｒ，３５Ｌがシールドカバー組立体４０内に組み込んであり、且つ、平衡伝送ケーブル２０が位置Ｐでシールドカバー組立体４０の側面４０Ｌから出てＸ１方向に延びている。ラッチ解除部材５０は、シールドカバー組立体４０のＹ１−Ｙ２方向上先端と平衡伝送ケーブル２０の出る位置Ｐ２との間であってシールドカバー組立体４０の厚さ方向の上面４０Ｕ側に配置してある。【選択図】  図３
2006216377.tif 000002
【特許請求の範囲】
【請求項１】
コンタクトを有するコンタクト組立体が、シールドカバー組立体の先端側に組み込んであり、該コンタクト組立体と接続されたケーブルがシールドカバー組立体より出て延びており、且つ該シールドカバー組立体にラッチ爪部材が取り付けてあり、且つ、操作されて該ラッチ爪部材をラッチ解除方向に動かすラッチ解除部材を前記シールドカバー組立体に設けてなる構成のケーブルコネクタにおいて、
前記ラッチ解除部材は、操作される操作部と、前記ラッチ爪部材に作用する作用部とを有し、該ラッチ解除操作部が、上記シールドカバー組立体のうち、前記コンタクト組立体が組み込んである位置と前記ケーブルが前記シールドカバー組立体より出る位置との間の部位に配置してある構成としたことを特徴とするケーブルコネクタ。
【請求項２】
コンタクトを有するコンタクト組立体が、シールドカバー組立体の先端側に組み込んであり、該コンタクト組立体と接続されたケーブルがシールドカバー組立体より出て延びており、且つ該シールドカバー組立体にラッチ爪部材が取り付けてあり、且つ、操作されて該ラッチ爪部材をラッチ解除方向に動かすラッチ解除部材を前記シールドカバー組立体に設けてなる構成のケーブルコネクタにおいて、
前記シールドカバー組立体は、その側面側にケーブル出口部を有し、前記ケーブルが該ケーブル出口部を通って前記シールドカバー組立体の側面側から出て延びており、
前記ラッチ解除部材は、操作される操作部と、前記ラッチ爪部材に作用する作用部とを有し、該ラッチ解除操作部が、上記シールドカバー組立体のうち、前記コンタクト組立体が組み込んである位置と前記ケーブルが前記シールドカバー組立体より出る位置との間の部位に配置してある構成としたことを特徴とするケーブルコネクタ。
【請求項３】
請求項１又は請求項２に記載のケーブルコネクタにおいて、
前記ラッチ解除操作部は、
前記シールドカバー組立体の上面側に、該シールドカバー組立体の上面より浮いて位置してあり、押し付け操作される構成であることを特徴とするケーブルコネクタ。
【請求項４】
請求項１又は請求項２に記載のケーブルコネクタにおいて、
前記ラッチ爪部材は一対であり、該シールドカバー組立体の両側面側に設けてあり、
前記ラッチ解除部材は、長方形板状のラッチ解除操作部と、該ラッチ解除操作部の両端より該ラッチ解除操作部に対して垂直の方向に延びている一対の脚部とよりなり、各脚部は外側に傾斜面部を有し、先端にフック部を有する形状であり、
前記シールドカバー組立体は、上カバーと下カバーとよりなり、
上カバーは、前記一対の脚部が通る開口を有し、
下カバーは、前記一対の脚部の内側面を支持案内するリブを有し、
前記ラッチ解除部材は、前記一対の脚部が前記上カバーの前記開口を通って前記シールドカバー組立体内に入っており、前記一対の脚部の内側面が前記リブによって支持案内されており、前記一対の脚部の外側の傾斜面部が前記ラッチ爪部材に当っており、前記ラッチ解除操作部は前記上カバーの上側に前記上カバーの上面より浮いて位置している構成であることを特徴とするケーブルコネクタ。
【発明の詳細な説明】
【技術分野】
【０００１】
本発明はケーブルコネクタに係り、特に、コンピュータとサーバとの接続に使用される平衡伝送用ケーブルコネクタに関する。
【０００２】
データの伝送の方式としては、データごとに一本の電線を使用する通常の伝送方式と、データごとに対をなす二本の電線を使用して、伝送すべき＋信号とこの＋信号とは大きさが等しく逆向きの−信号とを同時に伝送すると平衡伝送方式がある。平衡伝送方式は、通常の伝送方式に比べてノイズの影響を受けにくいという利点を有しており、コンピュータとサーバとデータの伝送に多く採用されつつある。
【０００３】
図１（Ａ）に示すように、サーバ１は、背面２側にコネクタ３が縦に長い向きで配置してある構成であり、通常は背面２が部屋の壁５に対向した状態で配置してある。
【背景技術】
【０００４】
図２は従来の平衡伝送ケーブルコネクタ１０を示す。Ｘ１−Ｘ２はケーブルコネクタ１１０の幅方向、Ｚ１−Ｚ２は厚さ方向、Ｙ１−Ｙ２は長手方向、即ち挿抜の方向である。Ｙ１は先端側であり、Ｙ２は背面側である。ケーブルコネクタ１０はコンタクト組立体１１がシールドカバー組立体１２のうち先端側に組み込んであり、且つ、シールドカバー組立体１２の先端側の両側にラッチ部材１３が組み込んであり、平衡伝送ケーブル２０がシールドカバー組立体１２の背面側から延びており、ラッチ解除のためのプルタブ１５がシールドカバー組立体１２の背面より後方に突き出して設けてある構成である。
【特許文献１】特開２００３−２１７７１５号公報
【発明の開示】
【発明が解決しようとする課題】
【０００５】
図１（Ａ）に示すように、ケーブルコネクタ１０がサーバ１の背面２側のコネクタ３に接続された状態で、平衡伝送ケーブル２０はケーブルコネクタ１０から水平方向に出て、その後に自重等で下方向に湾曲して床に向かっている。このようにケーブル２０には湾曲した部分２１があるため、サーバ１と部屋の壁５との間のスペース６の幅Ｓ１を狭くすること、即ち、サーバ１を部屋の壁５と接近させて設置することが難しかった。また、湾曲部分２１の曲率半径がケーブルの種類によって異なるため、上記スペース６を把握することが難しく、ユーザがサーバを部屋内に配置する計画を立てるうえで支障があった。
【０００６】
また、プルタブ１５はサーバ１から後方に引っ張る操作を行うものであるため、サーバ１の背面側にプルタブ１５を操作を行うためのスペースが必要となる。このことによってもサーバ１を部屋の壁５と接近させて設置することが難しかった。
【０００７】
そこで、本発明は、上記の点に鑑みなされたケーブルコネクタを提供することを目的とする。
【課題を解決するための手段】
【０００８】
そこで、本発明は、コンタクトを有するコンタクト組立体が、シールドカバー組立体の先端側に組み込んであり、該コンタクト組立体と接続されたケーブルがシールドカバー組立体より出て延びており、且つ該シールドカバー組立体にラッチ爪部材が取り付けてあり、且つ、操作されて該ラッチ爪部材をラッチ解除方向に動かすラッチ解除部材を前記シールドカバー組立体に設けてなる構成のケーブルコネクタにおいて、
前記シールドカバー組立体は、その側面側にケーブル出口部を有し、前記ケーブルが前記シールドカバー組立体の側面側から出て延びており、
前記ラッチ解除部材は、操作される操作部と、前記ラッチ爪部材に作用する作用部とを有し、該ラッチ解除操作部が、上記シールドカバー組立体のうち、前記コンタクト組立体が組み込んである位置と前記ケーブルが前記シールドカバー組立体より出る位置との間の部位に配置してある構成としたことを特徴とする。
【発明の効果】
【０００９】
本発明によれば、サーバ等の電子機器の背面側のコネクタに接続した場合の電子機器の背面からの突き出し量を従来に比較して小さくすることが可能である。しかも、この突き出し量が一義的に決まるようになり、電子機器を設置するときにその背面側に必要とされるスペースの大きさが一義的に決まり、ユーザは電子機器を部屋内に配置する計画が立て易くなる。
【発明を実施するための最良の形態】
【００１０】
次に本発明の実施の形態について説明する。
【実施例１】
【００１１】
図３、図４、図５（Ａ）は本発明の実施例１になる平衡伝送ケーブルコネクタ３０を示す。図３はケーブルコネクタ３０を斜めから見て且つ分解して示す斜視図、図４は側面図、図５（Ａ）は図３中、Ｖ―Ｖ線を含む垂直面で断面して且つ拡大して示す図である。各図中、Ｘ１−Ｘ２はケーブルコネクタ３０の幅方向、Ｚ１−Ｚ２は厚さ方向、Ｙ１−Ｙ２は長手方向、即ち挿抜の方向である。Ｙ１は先端側であり、Ｙ２は背面側である。Ｘ２が右（Ｒ）側であり、Ｘ１が左（Ｌ）側である。また、Ｘ２はケーブルコネクタ３０をサーバ１のコネクタ３に接続した状態で上面となる側であり、Ｘ１は下面となる側である。
【００１２】
ケーブルコネクタ３０は、大略、コンタクト・中継基板モジュール３１及びラッチ爪部材３５Ｒ，３５Ｌがシールドカバー組立体４０内に組み込んであり、且つ、平衡伝送ケーブル２０が位置Ｐでシールドカバー組立体４０の側面４０Ｌから出てＸ１方向に延びており、ラッチ解除部材５０がシールドカバー組立体４０のＹ１−Ｙ２方向上先端側のコンタクト組立体が組み込んである位置Ｐ１と平衡伝送ケーブル２０の出る位置Ｐ２との間であってシールドカバー組立体４０の厚さ方向の上面４０Ｕ側に配置してある構成である。
【００１３】
図３及び図５（Ａ）に示すように、シールドカバー組立体４０は、下カバー４１と上カバー４５とよりなる。下カバー４１は、側面４１Ｌのうち背面に近い位置Ｐに平衡伝送ケーブル出口部４２を有し、且つ、先端に近い位置に、ラッチ解除部材５０の脚部の内側面を支持案内するリブ４３Ｒ、４３Ｌを有し、且つ、リブ４３Ｒ、４３Ｌの根元の場所に開口４４Ｒ、４４Ｌを有する。上記側面４１Ｌはケーブルコネクタ３０がコネクタ３に接続された場合に下側となる側面である。上カバー４５は、先端に近い位置に、開口４６Ｒ、４６Ｌを有する。
【００１４】
図３に示すように、コンタクト・中継基板モジュール３１は、電気絶縁体に複数のコンタクトが並んで組み込んであるコンタクト組立体３２の背面側に中継基板３３が結合してある構成であり、コンタクト組立体３２がＹ２側のＰ１に位置して下カバー４１内に組み込んである。
【００１５】
平衡伝送ケーブル２０は、その端部が平衡伝送ケーブル出口部４２に嵌合して固定してあり、端部から延びている電線２１が中継基板３３に接続してある。中継基板３３は平衡伝送ケーブル出口部４２に臨む部分が切り欠かれており、ケーブル２０に端から延びている複数本の電線２１が扇状に拡げられるスペース３４が形成してある。
【００１６】
ラッチ爪部材３５Ｒ，３５Ｌは、そのＹ１側を下カバー４１の一部に係止されて取り付けてあり、シールドカバー組立体４０の両側に沿ってＹ２方向に延びている。ラッチ爪部材３５Ｒ，３５Ｌは先端に内側に向いたフックを有する。
【００１７】
図３及び図５（Ａ）に示すように、ラッチ解除部材５０は、長方形板状のラッチ解除操作部５１と、このラッチ解除操作部５１の両端よりラッチ解除操作部５１に対して垂直の方向であるＺ２方向に延びている一対の脚部５２Ｒ、５２Ｌとよりなり、各脚部５２Ｒ、５２Ｌは外側に傾斜面部５２Ｒａ、５２Ｌａを有し、先端にフック部５２Ｒｃ、５２Ｌｃを有する形状を有する。傾斜面部５２Ｒａ、５２Ｌａは、Ｚ２からＺ１方向に向かうにつれて左右に拡がるテーパ状となっている。このラッチ解除部材５０は、脚部５２Ｒ、５２Ｌが上カバー４５の開口４６Ｒ、４６Ｌを通ってシールドカバー組立体４０の内部に入っており、脚部５２Ｒ、５２Ｌは、夫々リブ４３Ｒ、４３Ｌとラッチ爪部材３５Ｒ，３５Ｌとの間に位置している。脚部５２Ｒ、５２Ｌの内側面５２Ｒｂ、５２Ｌｂが夫々リブ４３Ｒ、４３Ｌによって支持案内されており、脚部５２Ｒ、５２Ｌの外側の傾斜面部５２Ｒａ、５２Ｌａがラッチ爪部材３５Ｒ，３５Ｌに当っている。また、フック部５２Ｒｃ、５２Ｌｃがラッチ爪部材３５Ｒ，３５Ｌの下端を係止しており、ラッチ解除部材５０はＺ１方向への抜け出して外れることがないようになっている。ラッチ解除操作部５１はシールドカバー組立体４０の上カバー４５よりＺ１方向に寸法ａ浮いて、シールドカバー組立体４０をＸ１−Ｘ２方向に横切っている。ラッチ解除部材５０は、シールドカバー組立体４０の位置Ｐ１と位置Ｐ２との間に、即ち、シールドカバー組立体４０の長手方向寸法の範囲内に位置しており、ケーブル２０及び電線２１と干渉しないで組み込んである。
【００１８】
ラッチ解除操作部５１が押し付けられると、図５（Ｂ）に示すように、ラッチ解除部材５０がＺ２方向に移動し、傾斜面部５２Ｒａ、５２Ｌａがラッチ爪部材３５Ｒ，３５Ｌを外方に変位させ、ラッチ爪部材３５Ｒ，３５Ｌがその間が拡がるように、即ち、ラッチが解除される方向に変形させられる。脚部５２Ｒ、５２Ｌはリブ４３Ｒ、４３Ｌに当っておりすぼまる変形は制限される。よって、ラッチ爪部材３５Ｒ，３５Ｌのその間が拡がる変形は確実になされる。また、フック部５２Ｒｃ、５２Ｌｃは開口４４Ｒ、４４Ｌ内に入り込む。ラッチ解除操作部５１を押し付けるのをやめると、ラッチ爪部材３５Ｒ，３５Ｌのすぼまる方向のばね力によって、ラッチ解除操作部５１は上昇されて図５（Ａ）に示す元の状態となる。
【００１９】
上記構成のケーブルコネクタ３０は、シールドカバー組立体４０のＹ１側の背面４０Ｙ１が閉じられており、且つ、背面４０Ｙ１よりＹ１方向には何も突き出ていない構成である。
【００２０】
図１（Ｂ）は上記構成のケーブルコネクタ３０がサーバ１の背面２側のコネクタ３に接続された状態を示す。ケーブルコネクタ３０はコネクタ３に対して方向性をもって接続してある。ここで、ラッチ解除部材５０がシールドカバー組立体４０の長手方向寸法の範囲内に位置していること、及びケーブル２０がシールドカバー組立体４０より延びている方向がＺ２方向であることによって、シールドカバー組立体４０より後ろ方向への出っ張る部分が無くなり、サーバ１と部屋の壁５との間のスペース６Ａの幅はＳ２となって従来よりも狭くなる。即ち。サーバ１を部屋の壁５と接近させて設置することが可能となる。また、ケーブル２０にはケーブルの種類によって大きさがまちまちとなってしまう湾曲部分が形成されないため、サーバ１を設置するときにその背面側に必要とされるスペースの大きさが一義的に決まり、ユーザはサーバを部屋内に配置する計画が立て易くなる。
【００２１】
ケーブルコネクタ３０をコネクタ３から外すには、図５（Ｂ）に示すように、操作者は片方の手をケーブルコネクタ３０のうちラッチ解除操作部５１に親指を当ててケーブルコネクタ３０をその厚さ方向に掴んで、親指に力を加えてラッチ解除操作部５１を押し付ける操作を行い、この状態でケーブルコネクタ３０をコネクタ３から引き抜くように操作すればよい。
【００２２】
なお、スペース６Ａを上から覗いたとき、ラッチ解除操作部５１は垂直な状態にあり、操作者が上側からスペース６Ａに手を差し込んでケーブルコネクタ３０を掴むと、自然とラッチ解除操作部５１を押し付ける状態となり、指先をラッチ解除操作部５１の位置に移す必要はなく、ケーブルコネクタ３０をコネクタ３から抜く操作はし易い。
【図面の簡単な説明】
【００２３】
【図１】ケーブルコネクタの使用例を示す図である。
【図２】従来の平衡伝送ケーブルコネクタの斜視図である。
【図３】本発明の実施例１になる平衡伝送ケーブルコネクタの斜視図である。
【図４】図３の平衡伝送ケーブルコネクタの側面図である。
【図５】（Ａ）は図３中、Ｖ―Ｖ線を含む垂直面で断面して且つ拡大して示す図、（Ｂ）は操作したときの状態を示す図である。
【符号の説明】
【００２４】
１  サーバ
６ａ  スペース
２０  平衡伝送ケーブル
２１  電線
３０  平衡伝送ケーブルコネクタ
３１  コンタクト・中継配線基板モジュール
３２  コンタクト組立体
３３  中継基板
３５Ｒ，３５Ｌ  ラッチ爪部材
４０  シールドカバー組立体
４０Ｌ  側面
４０Ｕ  上面
４１  下カバー
４２  平衡伝送ケーブル出口部
４３Ｒ、４３Ｌ  リブ
４４Ｒ、４４Ｌ  開口
４５  上カバー
４６Ｒ、４６Ｌ  開口
５０  ラッチ解除部材
５１  ラッチ解除操作部
５２Ｒ、５２Ｌ  脚部
５２Ｒａ、５２Ｌａ  傾斜面部
５２Ｒｂ、５２Ｌｂ  内側面
５２Ｒｃ、５２Ｌｃ  フック部
【図１】
2006216377.tif 000003
【図２】
2006216377.tif 000004
【図３】
2006216377.tif 000005
【図４】
2006216377.tif 000006
【図５】
2006216377.tif 000007